(57)【要約】【課題】    図５において、ドア面に取付体２４ａをねじ６ｇ留めする台座１側から、壁面に取付体２４ｂをねじ６ｈ留めする受座１６側へ、アーム体２３を掛け渡して、ドアを半開角に保持する従来のドア半開保持具は、取付体２４ａおよび２４ｂを留めるねじ６ｇおよび６ｈは、頭部が露出している上に、頭部を覆うカバー体も配置されていないので、半開の隙間から差し入れたドライバーで簡単に取り外す事が可能である。【解決手段】  本発明は、施錠時、台座を留めるねじ６ａの直上には、カバープレート９を配置し、一方、受座を留めるねじ６ｆの直上には、アーム板１１ａを配置して、ねじ６ａおよび６ｆの取り外しを防止する。【選択図】  図１
2005120803.tif 000002
【特許請求の範囲】
【請求項１】
ドア２１面に側枠３をねじ６ａ留めするコ字状枠形の台座１側から、壁２２面に受け金１７をねじ６ｆ留めする受座１６側へ、アーム板１１ａを掛け渡して、ドアを半開角に保持する手段において、施錠時、台座側においては、側枠と平行に配設したスライド溝５の、左の閉口側に寄せて配置したカバープレート９が、アーム板のブロック部１５によって、右側をブロックされることにより、ねじ６ａの直上での配置が固定化され、一方、受座側においては、掛け溝１４ａをフック部１８に掛け止めすることにより、アーム板が受け金を留めるねじ６ｆの直上に配置される、ドア半開保持具。
【発明の詳細な説明】
【技術分野】
【０００１】  本発明は、外開きドアの半開保持具の取り付け用ねじの取り外し防止に関するものである。
【背景技術】
【０００２】  図５において、従来のドア半開保持具の一例を示す。ドア面に取付体２４ａをねじ６ｇ留めする台座１側から、壁面に取付体２４ｂをねじ６ｈ留めする受座１６側へ、ドア閉鎖後、アーム体２３をフック部１８へ掛け渡して、ドアを半開角に保持するこの手段は、アーム体のフック部への掛け外しは、ドアの閉鎖状態でのみ可能という点で、防犯効果は認められるが、取付体２４ａおよび２４ｂを留めるねじ６ｇおよび６ｈは、頭部が露出している上に、頭部を覆うカバー体も配置されていない無防備状態のため、半開の隙間から差し入れたドライバーで緩めて、保持具そのものを簡単に取り外すことが可能である。
【特許文献１】  特開平７−３０５５５５
【発明の開示】
【発明が解決しようとする課題】
【０００３】  解決しようとする課題は、台座と受座を留める各ねじが、半開の隙間から差し入れたドライバーで取り外されないために、ねじの直上に、施錠時、外部からは簡単に外されない仕組みのカバー体を配置するものである。
【課題を解決するための手段】
【０００４】  課題を解決するために、本発明は、ドア面に側枠をねじ留めするコ字状枠形の台座側から、壁面に受け金をねじ留めする受座側へ、アーム板を掛け渡して、ドアを半開角に保持する手段において、施錠時、台座側においては、側枠と平行に配設したスライド溝の、左の閉口側に寄せて配置したカバープレートが、アーム板のブロック部によって、右側をブロックされることにより、ねじの直上での配置が固定化され、一方、受座側においては、掛け溝をフック部に掛け止めすることにより、アーム板が受け金を留めるねじの直上に配置されるものである。
【発明の効果】
【０００５】  以上のように、本発明のドア半開保持具は、側枠および受け金を留めるねじの直上に、施錠時、外部からは簡単に外れない仕組みのカバー体を配置することにより、保持具そのものの取り外しが防止され、その結果、保持具使用者に対して、信頼性や安全性の向上を図ることができる。
【発明を実施するための最良の形態】
【０００６】  図３において、台座側においては、施錠時、上枠と下枠に対向させ、側枠３に近接させて平行に配設したスライド溝５の、ねじ６ａの直上での停止用に閉口した、左側に寄せて配置したカバープレート９が、スライド溝上に突き出したアーム板のブロック部１５によって、右側をブロックされることにより、ねじ６ａの直上での配置が固定化され、ねじ６ａの取り外しを防止する。【０００７】  図３と図４において、受座側においては、施錠時、掛け溝１４ａをフック部１８に掛け止めすることにより、アーム板１１ａが、ねじ６ｆの直上に配置され、ねじ６ｆの取り外しを防止する。但し、アーム板は，フック軸２０を中心軸として、横向きＴ字状のスライド穴１２に沿って、例えば施錠時、抜き差し部１３から、左開きドアの場合は、（ｂ）、（ａ）、（ｃ）の順に、右開きドアの場合は、（ｂ），（ａ）、（ｄ）の順にスライドするように、上下および左右にスライドするので、どのスライド位置においても、ねじ６ｆの直上を外れないためには、アーム板の形状とねじの配置との関係を調整する必要がある。【０００８】  前記のアーム板の形状とねじの配置との関係については、図４の例では、各ねじ６ｆの頭部は、露出部分を実線で、カバー部分を破線で示してあるが、露出割り合いが最大となる（ｂ）、（ｃ）、（ｄ）の各スライド位置においても、約５０％から１００％はカバーされているので、取り外しは防止される。【０００９】  アーム板１１は、中央のスライド穴の掛け溝１４ａをフック部１８に掛け止めすることにより、ドアの半開保持手段として使用するとともに、外周側の板部分の内、ねじ６ｆの直上を覆う部分はカバー体として、ねじ６ｆの取り外し防止用に、また、左側端部のスライド溝上に突き出す部分はブロック部１５として、カバープレート９のスライド溝５からの抜き取り防止用に使用される。そして、上枠と下枠の各取り付け穴８ａに両端部を適宜に固定した支軸１０を中心軸として、上下にスライドし、さらに、施錠時に掛け渡す受座側と非施錠時に収容する下枠４上の間を回動する。【００１０】  図３において、ドアの閉鎖角と半開角間の回動に連動して、アーム板１１ａが、受け金１７とフック頭１９によって挟持される空間内を、摩擦を起こさず、角度を変えながらスムーズにスライドするためには、掛け溝、受け金、フック部の形状の調整が必要な場合もあるが、それについての説明は本発明の主旨ではないので省略する。【００１１】  側枠および受け金に配置するねじ穴７ａおよび７ｆは、適数、適所でよく、また、上部が溝状に開口しているのは、ねじの頭部を溝内に収めることにより、頭部の露出を出来るだけ少なくするためである。【００１２】  抜け止めねじ６ｄは、非施錠時、カバープレート９がスライド溝から抜け出さないように止めておくためのものである。【００１３】  外れ止めねじ６ｂは、非施錠時、アーム板１１ｂが下枠上の収容位置から外側に回動しないように止めておくためのものである。【００１４】  ドアには左開き用と右開き用があるが、本発明のドア半開保持具は、上下対称構造となっているので、上下を置き替えることにより、両方の場合に使用可能である。掛け溝１４ａは左開き時用、同１４ｂは右開き時用で、外れ止めねじ穴７ｂは左開き時用、同７ｃは右開き時用である。
【図面の簡単な説明】
【００１５】
【図１】  斜視図。
【図２】  部品構成図。
【図３】  台座側の図１におけるＢ−Ｂ線断面図と受座側の同Ｃ−Ｃ線断面図。
【図４】  台座側の図１におけるＡ−Ａ線断面図と受座側の（ａ）、（ｂ）、（ｃ）、（ｄ）の各スライド位置における左側面図。
【図５】  従来のドア半開保持具の一例の斜視図。
【符号の説明】
【００１６】  １    台座
２    上枠
３    側枠
４    下枠
５    スライド溝
６ａ  ６ｂ  ６ｄ  ６ｆ  ６ｇ  ６ｈ    ねじ
７ａ  ７ｂ  ７ｃ  ７ｄ  ７ｅ  ７ｆ    ねじ穴
８ａ  ８ｂ    取り付け穴
９    カバープレート
１０    支軸
１１  １１ａ  １１ｂ    アーム板
１２    スライド穴
１３    抜き差し部
１４ａ  １４ｂ    掛け溝
１５    ブロック部
１６    受座
１７    受け金
１８    フック部
１９    フック頭
２０    フック軸
２１    ドア
２２    壁
２３    アーム体
２４ａ  ２４ｂ    取付体
【図１】
2005120803.tif 000003
【図２】
2005120803.tif 000004
【図３】
2005120803.tif 000005
【図４】
2005120803.tif 000006
【図５】
2005120803.tif 000007